(57)【特許請求の範囲】
【請求項１】
印字ヘッドと、
インクリボンが巻回されたリボン供給軸、及び、前記印字ヘッドによる印字動作に同期してリボン供給軸からインクリボンを引き出すとともに巻き取るリボン巻取軸を内蔵したインクリボンカートリッジと、
前記インクリボンカートリッジが配置され、前記リボン巻取軸を支持する支持部が形成された下フレームと、
前記下フレームに対して開閉可能に配置される上フレームとを備えた記録装置において、
前記上フレームに回動可能に設けられ、上フレームを前記下フレームに対してロックするロックレバーと、
前記ロックレバーをロックする方向に付勢する第一付勢部材と、
前記下フレームに回動可能に設けられ、前記ロックレバーの回動に対応して第一方向に回動されて、前記支持部に支持された前記リボン巻取軸を押圧する押圧部材と、
前記リボン巻取軸の押圧を解除する第二方向に前記押圧部材を付勢する第二付勢部材を有し、
前記押圧部材は、前記ロックレバーの回動に対応して前記第二付勢部材による付勢力に抗して第一方向に回動されるとともに、前記リボン巻取軸を所定状態に押圧した時点でリボン巻取軸から更に第一方向に回動させる回動力を受けることを特徴とする記録装置。
【請求項２】
印字ヘッドと、
インクリボンが巻回されたリボン供給軸、及び、前記印字ヘッドによる印字動作に同期してリボン供給軸からインクリボンを引き出すとともに巻き取るリボン巻取軸を内蔵したインクリボンカートリッジと、
前記インクリボンカートリッジが配置され、前記リボン巻取軸を支持する支持部が形成された下フレームと、
前記下フレームに対して開閉可能に配置される上フレームとを備えた記録装置において、
前記上フレームに回動可能に設けられ、上フレームを前記下フレームに対してロックするロックレバーと、
前記ロックレバーをロックする方向に付勢する第一付勢部材と、
前記下フレームに回動可能に設けられ、前記ロックレバーの回動に対応して第一方向に回動されて、前記支持部に支持された前記リボン巻取軸を押圧する押圧部材と、
前記第一方向への押圧部材の回動を所定範囲内に規制する規制部材を備え、
前記押圧部材は、前記リボン巻取軸の押圧を解除する第二方向へ回動力を生じる位置に重心を有し、
前記押圧部材は、前記ロックレバーの回動に対応して前記重心による回動力に抗して第一方向に回動されるとともに、前記リボン巻取軸を所定状態に押圧した時点で前記規制部材を介して第一方向への回動が規制されることを特徴とする記録装置。
【請求項３】
前記リボン巻取軸の一端部には被動ギアが設けられるとともに、前記支持部にはリボン巻取軸の他端部が支持され、
前記押圧部材はリボン巻取軸の他端部を押圧することを特徴とする請求項１又は請求項２記載の記録装置。
【発明の詳細な説明】
【０００１】
【発明の属する技術分野】
本発明は、交換可能な幅広のインクリボンを備えたインクリボンカートリッジを用いて印刷を行う記録装置に係わり、特にインクリボンの皺を発生を防ぐとともに、インクリボンカートリッジの交換時などに取り扱いが簡便な記録装置に関するものである。
【０００２】
【従来の技術】
サーマルプリンタを用いて用紙などの被記録媒体に印刷を行う場合、取り扱いの簡便さ等から通常はインクリボンカートリッジが用いられる。そして、サーマルプリンタがラインプリンタである場合、幅広のインクリボンを用いる必要がある。
【０００３】
このような、幅広のインクリボンを用いる場合、インクリボンの材質及び形状に起因して皺が発生し易く、このインクリボンの皺は印字品質に大きな悪影響を及ぼすことから、インクリボンの皺の発生を十分に抑制することが望ましい。このため、被記録媒体とインクリボンとを印字ヘッドの記録面に押し付ける押圧ローラとリボン巻取軸との間でインクリボンに適度な張力を作用させる必要がある。また、インクリボンの張力によりリボン巻取軸の浮き上がりが生じ、それが原因による皺の発生や印字品質の劣化を招くおそれがあるために、リボン巻取軸の浮き上がりを規制する必要もあった。
【０００４】
図８は、幅広のインクリボン１０７を用いた、従来のラインサーマルプリンタにおける上フレーム１０５と下フレーム１０３との開閉を規制するロック機構の一例を示す。
【０００５】
図８において、ロック機構は、フレーム開閉軸１０１を中心に相互に開閉自在に軸支された下フレーム１０３及び上フレーム１０５と、インクリボン１０７が巻回されたリボン供給軸１０９及びインクリボンを巻き取るリボン巻取軸１１１を内蔵したインクリボンカートリッジ１１３と、下フレーム１０３に設けられたロック部材１１５に係合する切欠溝１１７及びロック時にリボン巻取軸１１１を押圧するリボン巻取軸押圧部材１１９を備えたロックレバー１２１とから構成されている。
【０００６】
ロックレバー１２１は、切欠溝１１７がロック部材１１５に係合される方向（図中、時計方向）へ図示しないばね部材で付勢されており、操作者がロックレバー１２１をロック解除方向(図中、反時計方向）へ回動させることにより、下フレーム１０３と上フレーム１０５とを開状態にすることができる。また、これと同時にリボン巻取軸押圧部材１１９によるリボン巻取軸１１１への押圧も解除されるため、インクリボンカートリッジ１１３の着脱が容易になる構成となっている。
【０００７】
【発明が解決しようとする課題】
しかしながら、従来の記録装置において、インクリボン１０７に一定値以上の張力が発生した場合、インクリボン１０７の張力によるリボン巻取軸１１１に生じる浮き上がりの力が、リボン巻取軸押圧部材１１９がリボン巻取軸１１１を押圧する力よりも大きくなると、ロックレバー１２１がロックを解除する方向に回動してしまい印刷中に上フレーム１０５が開いてしまうという問題があった。
【０００８】
また、これらの不都合を解消するためにロックレバー１２１をロックする方向に付勢するばね部材の付勢力を大きくすると、上フレーム１０５の開閉時におけるロック及びその解除に要する力が必要以上に大きくなり、取り扱いが不便になってしまうという問題点もあった。
【０００９】
本発明は、上記の問題点に鑑みてなされたものであり、ロックレバーを付勢するばねの付勢力を大きくすることなく、印刷中における上フレームの開放を防止するとともに、インクリボンの皺による印字品質の劣化を良好に防止できる記録装置を提供することを目的としている。
【００１０】
【課題を解決するための手段】
上記目的を達成するために、請求項１記載の記録装置は、印字ヘッドと、インクリボンが巻回されたリボン供給軸、及び、前記印字ヘッドによる印字動作に同期してリボン供給軸からインクリボンを引き出すとともに巻き取るリボン巻取軸を内蔵したインクリボンカートリッジと、前記インクリボンカートリッジが配置され、前記リボン巻取軸を支持する支持部が形成された下フレームと、前記下フレームに対して開閉可能に配置される上フレームとを備えた記録装置において、前記上フレームに回動可能に設けられ、上フレームを前記下フレームに対してロックするロックレバーと、前記ロックレバーをロックする方向に付勢する第一付勢部材と、前記下フレームに回動可能に設けられ、前記ロックレバーの回動に対応して第一方向に回動されて、前記支持部に支持された前記リボン巻取軸を押圧する押圧部材と、前記リボン巻取軸の押圧を解除する第二方向に前記押圧部材を付勢する第二付勢部材を有し、前記押圧部材は、前記ロックレバーの回動に対応して前記第二付勢部材による付勢力に抗して第一方向に回動されるとともに、前記リボン巻取軸を所定状態に押圧した時点でリボン巻取軸から更に第一方向に回動させる回動力を受けるものである。
【００１１】
これによれば、下フレームに対して上フレームを開放した状態でインクリボンカートリッジの交換等が行われる。そして、下フレームに対して上フレームを閉じると、ロックレバーは、第一付勢部材の付勢力を介してロック方向に回動され、これにより上フレームは下フレームに対してロックされる。このように、ロックレバーがロック方向に回動されると、押圧部材は、ロックレバーの回動に対応して、支持部に支持されたリボン巻取軸を押圧する第一方向に回動し、これによりリボン巻取軸は押圧部材により押圧される。
【００１２】
このとき、ロックレバーと押圧部材とは別体に設けられており、第一付勢部材は上フレームと下フレームの開放を規制すべくロックレバーを付勢すればよいことから、第一付勢部材の付勢力は、ロックレバーを回動させる程度の小さな付勢力で良く、したがって、ロックレバーが回動しやすくなって操作者による上フレームの開閉時における操作性が向上する。
【００１３】
また、リボン巻取軸を押圧する押圧部材は、ロックレバーの回動に対応しており、上フレームと下フレームをロックレバーによりロックすると同時に、リボン巻取軸を押圧することから、印字中におけるリボン巻取軸の浮き上がり、及び張力不均一に起因してインクリボンに皺が発生することを防止できる。したがって、インクリボンの皺が原因による印字品質の劣化が良好に防止できる。更に、ロックレバーと押圧部材とは別体に構成されており、リボン巻取軸が支持部から浮き上がって押圧部材が回動されたとしても、その回動力は直接ロックレバーに及ばないので、印字中にロックレバーが回動してロック解除となり、上フレームが開放してしまうことはなくなる。
更に、押圧部材は第二付勢部材により、リボン巻取軸の押圧を解除する第二方向に付勢されており、かつ、ロックレバーの回動に対応して付勢部材の付勢力に抗して第一方向に回動するため、ロックレバーのロック解除と同時にリボン巻取軸の押圧も解除される。すなわち、操作者の上フレームのロック解除と同時に、インクリボンカートリッジの着脱を規制しているリボン巻取軸への押圧が解除されるため、操作者によるインクリボンカートリッジ着脱時の取り扱いが容易となる。
リボン巻取軸を所定状態に押圧した時点でリボン巻取軸から更に第一方向、つまり、第二付勢部材の付勢力をさらに増加させる方向へ回動力を受けることから、リボン巻取軸の浮き上がり力を十分に規制することができ、張力不均一に起因してインクリボンに皺が発生することを防止できる。したがってインクリボンの皺による印字品質劣化をより良好に防止できる。
【００１４】
また、請求項２記載の記録装置は、印字ヘッドと、インクリボンが巻回されたリボン供給軸、及び、前記印字ヘッドによる印字動作に同期してリボン供給軸からインクリボンを引き出すとともに巻き取るリボン巻取軸を内蔵したインクリボンカートリッジと、前記インクリボンカートリッジが配置され、前記リボン巻取軸を支持する支持部が形成された下フレームと、前記下フレームに対して開閉可能に配置される上フレームとを備えた記録装置において、前記上フレームに回動可能に設けられ、上フレームを前記下フレームに対してロックするロックレバーと、前記ロックレバーをロックする方向に付勢する第一付勢部材と、前記下フレームに回動可能に設けられ、前記ロックレバーの回動に対応して第一方向に回動されて、前記支持部に支持された前記リボン巻取軸を押圧する押圧部材と、前記第一方向への押圧部材の回動を所定範囲内に規制する規制部材を備え、前記押圧部材は、前記リボン巻取軸の押圧を解除する第二方向へ回動力を生じる位置に重心を有し、前記押圧部材は、前記ロックレバーの回動に対応して前記重心による回動力に抗して第一方向に回動されるとともに、前記リボン巻取軸を所定状態に押圧した時点で前記規制部材を介して第一方向への回動が規制されるものである。
【００１５】
これによれば、下フレームに対して上フレームを開放した状態でインクリボンカートリッジの交換等が行われる。そして、下フレームに対して上フレームを閉じると、ロックレバーは、第一付勢部材の付勢力を介してロック方向に回動され、これにより上フレームは下フレームに対してロックされる。このように、ロックレバーがロック方向に回動されると、押圧部材は、ロックレバーの回動に対応して、支持部に支持されたリボン巻取軸を押圧する第一方向に回動し、これによりリボン巻取軸は押圧部材により押圧される。
【００１６】
このとき、ロックレバーと押圧部材とは別体に設けられており、第一付勢部材は上フレームと下フレームの開放を規制すべくロックレバーを付勢すればよいことから、第一付勢部材の付勢力は、ロックレバーを回動させる程度の小さな付勢力で良く、したがって、ロックレバーが回動しやすくなって操作者による上フレームの開閉時における操作性が向上する。
【００１７】
また、リボン巻取軸を押圧する押圧部材は、ロックレバーの回動に対応しており、上フレームと下フレームをロックレバーによりロックすると同時に、リボン巻取軸を押圧することから、印字中におけるリボン巻取軸の浮き上がり、及び張力不均一に起因してインクリボンに皺が発生することを防止できる。したがって、インクリボンの皺が原因による印字品質の劣化が良好に防止できる。更に、ロックレバーと押圧部材とは別体に構成されており、リボン巻取軸が支持部から浮き上がって押圧部材が回動されたとしても、その回動力は直接ロックレバーに及ばないので、印字中にロックレバーが回動してロック解除となり、上フレームが開放してしまうことはなくなる。
【００１８】
更に、これによれば、押圧部材は、重心がリボン巻取軸の押圧を解除する第二方向に回動力を生じる位置に配置されており、かつ、ロックレバーの回動に対応してリボン巻取軸を押圧する第一方向に回動するため、ロックレバーのロック解除と同時にリボン巻取軸の押圧も解除される。すなわち、操作者の上フレームのロック解除と同時に、インクリボンカートリッジの着脱を規制しているリボン巻取軸への押圧が解除されるため、操作者によるインクリボンカートリッジ着脱時の取り扱いが容易となる。
【００１９】
また、第一方向への押圧部材の回動を所定範囲内に規制する規制部材を備えたことにより、リボン巻取軸を所定状態に押圧した時点で押圧部材が規制部材により第一方向に回動する動きを規制する構成としたため、リボン巻取軸の浮き上がりを確実に規制することができ、張力不均一に起因してインクリボンに皺が発生することを防止できる。したがって、インクリボンの皺が原因による印字品質の劣化が良好に防止できる。更に、リボン巻取軸の押圧部材を付勢する付勢部材を設ける必要がないため、製造面やコスト面において良好な効果が得られる。
【００２０】
更に、請求項３記載の記録装置は、請求項１または請求項２記載の記録装置において、前記リボン巻取軸の一端部には被動ギアが設けられるとともに、前記支持部にはリボン巻取軸の他端部が支持され、前記押圧部材はリボン巻取軸の他端部を押圧するものである。
【００２１】
これによれば、リボン巻取軸の他端部を押圧する押圧部材を設けるだけで、巻取軸の浮き上がりを良好に規制できる。すなわち、リボン巻取軸の一端部は、リボン巻取軸に回動力を伝達するための歯車の噛合により、浮き上がりがある程度抑制されるので、リボン巻取軸の他端部の浮き上がりを規制すればよく、より経済的かつ、コンパクトにすることができるのである。
【００２２】
【発明の実施の形態】
以下、本発明の好ましい実施の形態を、図面を参照しつつ具体的に説明する。
【００２３】
図１は、第一実施形態の記録装置を備えたファクシミリ装置１の外観斜視図であって、このファクシミリ装置１は、下フレーム３と、この下フレーム３に開閉自在に取り付けられた上フレーム５とを備えている。下フレーム３には、各種動作を指示する複数のキースイッチやファクシミリ装置１の動作状態などを表示する液晶表示装置を有する操作部７、送信原稿や読取原稿を載置する原稿台９、読み取られた原稿を排紙する読取原稿排紙口１１などを備えている。また、上フレーム５には、被記録媒体としての記録用紙１４を複数枚保持可能な記録用紙保持部１３、記録された用紙を排紙する記録用紙排紙口１５、下フレーム３と上フレーム５の係合を解除するロック解除釦１７などを備えている。
【００２４】
図２は、上記ファクシミリ装置１の概略断面図で、ファクシミリ装置１の中央部を奥行き方向に沿って切断した状態を示した図である。ファクシミリ装置１は、読取原稿の幅方向を１ライン毎に読み取る読取機構１８と、受信したデータまたは記録すべき情報を印字する記録機構２０とを備えている。
【００２５】
読取機構１８は、読取原稿給紙ローラ２３、読取部１９及び読取原稿排紙ローラ２９などから構成されており、読取原稿を読取原稿搬送路１０に沿って搬送しながら画像読み取りを行う。読取原稿給紙ローラ２３には、分離片２４が圧接されており、これら読取原稿給紙ローラ２３と分離片２４とで、原稿台９に載置された読取原稿を一枚単位で読取部１９へ搬送している。読取部１９は、ＣＩＳ（Contact Image Sensor）からなる読取センサ２７と、読取原稿を読み取る際に読取センサ２７に読取原稿を押圧する読取原稿押圧ローラ２５とで構成されており、読取原稿を読取センサ２７に密着させながら１ライン毎の画像読み取りを行っている。そして、画像読み取りが行われた読取原稿は、読取原稿排紙ローラ２９により、読取原稿排紙口１１からファクシミリ装置１の外部へと搬送される。尚、読取原稿押圧ローラ２５の押圧面は、白色で構成されており、読取原稿の先端検出及び白色レベルの基準色として用いられている。
【００２６】
また、記録機構２０は、インクリボン３１を供給するインクカートリッジ３９、記録用紙１４の幅方向に１ライン毎の印字を行う印字ヘッド３５及び被記録媒体としての記録用紙１４を搬送する記録用紙搬送部４０などを備えている。尚、記録用紙搬送部４０は、記録用紙給紙ローラ４３、記録用紙押圧ローラ４５及び記録用紙排紙ローラ４７などから構成されており、記録用紙１４を記録用紙搬送路１７に沿って搬送している。
【００２７】
このように構成された記録機構２０は、記録用紙保持部１３に載置された記録用紙１４を、記録用紙給紙ローラ４３により一枚単位で搬送しており、印字ヘッド３５と記録用紙１４の中間にインクリボン３１を介した状態で記録用紙押圧ローラ４５により印字ヘッド３５に押圧しながら、読取機構１８で読み取られた原稿データ等を記録用紙１４の幅方向に１ライン毎の印字を行っている。そして、印字された記録用紙１４は、記録用紙排紙ローラ４７により記録用紙排紙口１５からファクシミリ装置１の外部へと搬送され、記録用紙保持部１３と一体形成された記録用紙排紙台１６に載置される。
【００２８】
次に、前記インクリボン３１が内蔵されたインクリボンカートリッジ３９について、図３に基づき説明する。
【００２９】
図３は、インクリボンカートリッジ３９の正面概略図であり、幅広のインクリボン３１が巻回されたリボン供給軸３３と、印字ヘッド３５の印字動作に同期してリボン供給軸３３からインクリボン３１を引き出すとともに巻き取るリボン巻取軸３７を一体形成したものである。インクリボン３１は、記録用紙１４の幅と略同一幅を有して片面のみにインク層が形成されており、リボン供給軸３３から繰り出されて記録用紙１４と印字ヘッド３５の間を通過した後に、リボン巻取軸３７で巻き取られることで搬送されている。このインクリボン３１は、印字ヘッド３５の熱によりインクが記録用紙１４に転写され、文書や図面などの情報を記録用紙１４に印字しているのである。また、リボン巻取軸３７は、一端に被動ギア４１が嵌合されており、図示しないモータの駆動力を受けることによりインクリボン３１を巻き取っている。尚、インクリボン３１の巻取速度は、図示しないモータの制御を行うことにより印字ヘッド３５の印字動作に同期するように調整されている。
【００３０】
また、インクリボンカートリッジ３９は、図２に示すように、下フレーム３に設けられた凹状のリボン軸受部４１により、リボン供給軸３３及びリボン巻取軸３７がそれぞれ回転可能に軸支持されると同時に、リボン巻取軸３７に設けられた被動ギア４１が図示しないモータ側のギアに歯合する構成となっている。
【００３１】
次に、フレーム開放軸４９を中心に回動可能に支持されている下フレーム３と上フレーム５との回動を規制しているロック部について図４及び図５を参照しながら説明する。尚、本実施形態においては、上フレーム５には記録用紙搬送部４０を、また下フレーム３には読取機構１８及び印字ヘッド３５などが配置されているが、もちろんこれに限られるものではない。
【００３２】
図４は、ロック部５１の拡大概略図であり、下フレーム３に設けられたロック部材５３と、上フレーム５に設けられたロックレバー支持軸５５に回動可能に支持されたロックレバー５７が係合している状態、つまり下フレーム３と上フレーム５がロックされている状態を示している。
【００３３】
ロックレバー５７は、ロックばね６１により、ロック部材５３に係合する方向（図中Ａ方向）に付勢されており、ロックレバー５７に設けられたコ字状の切欠溝６３とロック部材５３が係合することによりロックされている。
【００３４】
また、リボン巻取軸押圧部材５９は、下フレーム３に設けられた押圧部材支持軸６５に回動可能に支持されており、板ばね６７により、リボン巻取軸３７の押圧を解除する方向（図中Ｄ方向）に付勢されている。更に、リボン巻取軸押圧部材５９は、ロックレバーのＡ方向の回動に伴い、ロックレバー５７の一端と、リボン巻取軸押圧部材５９の一端が互いに係合するように構成されているため、ロックレバー５７のＡ方向の回動力を受けて、板ばね６７の付勢方向と逆の方向（図中Ｃ方向）に回動するように構成されている。
【００３５】
この状態で、リボン巻取軸押圧部材５９が、リボン巻取軸３７の浮き上がる力を受けると、板ばね６７の付勢力に抗するＣ方向へさらに回動するため、リボン巻取軸３７により大きな押圧力が加わり、リボン巻取軸３７の浮き上がりを防止できる。
【００３６】
また、ロックレバー５７がロックされている状態で、ロック解除釦１７が操作者により押下されると、図示しない連動機構によりロックレバー５７がロックばね６１の付勢力に抗する方向（図中Ｂ方向）に回動され、図５に示す状態、つまり、ロックが解除された状態となる。これにより、ロック部材５３と切欠溝６３との係合が解除され、上フレーム５がフレーム開閉軸４９を中心として回動可能になる。また、ロックレバー５７のＢ方向の回動に伴い、リボン巻取軸押圧部材５９を付勢している板ばね６７の付勢力に抗する力が失われるために、リボン巻取軸押圧部材５９はＤ方向に回動しリボン巻取軸３７の押圧を解除する。したがって、操作者が上フレーム５を開けた状態で、インクリボンカートリッジ３９を着脱するに際しては、リボン巻取軸３７の近傍にリボン巻取軸押圧部材５９が存在しないので、着脱作業を容易に行える。
【００３７】
次に、第二実施形態として、リボン巻取軸押圧部材５９を付勢する板ばね６７を使用しない場合の例を図６及び図７を参照しながら説明する。尚、第二実施形態は、基本的に第一実施形態と同一の構成を有しているため、第二実施形態に特有の構成に主眼を置いて説明することとし、同一部材には同一符号を付するものとする。
【００３８】
図６は、ロック部５１の拡大概略図であり、下フレーム３に設けられたロック部材５３と、上フレーム５に設けられたロックレバー支持軸５５に回動可能に支持されたロックレバー５７が係合している状態、つまり下フレーム３と上フレーム５がロックされている状態を示している。
【００３９】
リボン巻取軸押圧部材５９は、下フレーム３に設けられた押圧部材支持軸６５に回動可能に支持されており、リボン巻取軸３７に接する面が常に下向きになるような位置に重心が配置されており、したがって、リボン巻取軸３７の押圧を解除するＤ方向への回動力を有している。
【００４０】
更に、リボン巻取軸押圧部材５９は、ロックレバーのＡ方向の回動に伴い、ロックレバー５７の一端と、リボン巻取軸押圧部材５９の一端が互いに係合するように構成されているため、ロックレバー５７のＡ方向の回動力を受けて、リボン巻取軸３７を押圧するＣ方向に回動するように構成されている。
【００４１】
また、下フレーム３には、リボン巻取軸押圧部材５９のＣ方向への所定回転範囲を規制する回動規制部材６９が設けられている。
【００４２】
この状態で、リボン巻取軸押圧部材５９が、リボン巻取軸３７の浮き上がる力を受けると、Ｃ方向への回動力を受けるが、回動規制部材６９により所定範囲以上の回動が規制されるため、リボン巻取軸３７の浮き上がりを防止できる。
【００４３】
また、ロックレバー５７がロックされている状態で、ロック解除釦１７が操作者により押下されると、図示しない連動機構によりロックレバー５７がロックばね６１の付勢力に抗するＢ方向に回動され、図７に示す状態、つまり、ロックが解除された状態となる。これにより、ロック部材５３と切欠溝６３との係合が解除され、上フレーム５がフレーム開閉軸４９を中心として回動可能になる。また、ロックレバー５７のＢ方向の回動に伴い、リボン巻取軸押圧部材５９の重心により生じるＤ方向への回動力に抗する力が失われるために、リボン巻取軸押圧部材５９は、その重心位置の移動に基づき、Ｄ方向に回動しリボン巻取軸３７の押圧を解除する。したがって、操作者が上フレーム５を開けた状態で、インクリボンカートリッジ３９を着脱するに際しては、リボン巻取軸３７の近傍にリボン巻取軸押圧部材５９が存在しないので、着脱作業を容易に行える。
【００４４】
尚、上記実施形態では、本発明の記録装置としてファクシミリ装置を用いたが、もちろんこれに限られるものではなく、プリンタ、コピー機、あるいはそれらの複数の機能を備えた機器などに用いることができる。
【００４５】
【発明の効果】
以上説明したように、請求項１記載の記録装置によれば、ロックレバーが回動しやすくなって操作者の上フレームの開閉時における操作性が向上する。
【００４６】
また、印字中にリボン巻取軸の浮き上がり、張力不均一に起因してインクリボンに皺が発生することを防止でき、インクリボンの皺が原因による印字品質の劣化が良好に防止できる。更に、印字中にロックレバーが回動してロック解除となり、上フレームが開放してしまうことはなくなる。
更に、操作者の上フレームのロック解除と同時に、インクリボンカートリッジの着脱を規制しているリボン巻取軸への押圧が解除されるため、操作者によるインクリボンカートリッジ着脱時の取り扱いが容易となる。また、リボン巻取軸を所定状態に押圧した時点でリボン巻取軸から更に第一方向、つまり、第二付勢部材の付勢力をさらに増加させる方向へ回動力を受けることから、リボン巻取軸の浮き上がり力を十分に規制することができ、張力不均一に起因してインクリボンに皺が発生することを防止できる。したがって、インクリボンの皺による印字品質劣化をより良好に防止できる。
【００４７】
また、請求項２記載の記録装置によれば、ロックレバーが回動しやすくなって操作者の上フレームの開閉時における操作性が向上する。
また、印字中にリボン巻取軸の浮き上がり、張力不均一に起因してインクリボンに皺が発生することを防止でき、インクリボンの皺が原因による印字品質の劣化が良好に防止できる。更に、印字中にロックレバーが回動してロック解除となり、上フレームが開放してしまうことはなくなる。
【００４８】
更に、操作者の上フレームのロック解除と同時に、インクリボンカートリッジの着脱を規制しているリボン巻取軸への押圧が解除されるため、操作者によるインクリボンカートリッジ着脱時の取り扱いが容易となる。また、リボン巻取軸を所定状態に押圧した時点で押圧部材が規制部材により第一方向に回動する動きを規制する構成としたため、リボン巻取軸の浮き上がりを確実に規制することができ、張力不均一に起因してインクリボンに皺が発生することを防止できる。したがって、インクリボンの皺が原因による印字品質の劣化が良好に防止できる。更に、リボン巻取軸の押圧部材を付勢する付勢部材を設ける必要がないため、製造面やコスト面において良好な効果が得られる。
【００４９】
また、請求項３記載の記録装置によれば、請求項１又は請求項２記載の記録装置の効果に加えさらに、リボン巻取軸の一端部が、リボン巻取軸に回動力を伝達するための歯車の噛合により、浮き上がりをある程度抑制されるので、リボン巻取軸の他端部の浮き上がりを規制すればよく、より経済的かつ、コンパクトにすることができるのである。
【図面の簡単な説明】
【図１】  第一実施例に係る記録装置を備えたファクシミリ装置の外観斜視図である。
【図２】  ファクシミリ装置の概略断面図である。
【図３】  インクリボンカートリッジの正面概略図である。
【図４】  ロック部をロック状態にした時の要部拡大側面図である。
【図５】  ロック部をロック解除状態にした時の要部拡大側面図である。
【図６】  第二実施形態に係るファクシミリ装置における、ロック部をロック状態にした時の要部拡大図面である。
【図７】  ロック部をロック解除状態にした時の要部拡大図面である。
【図８】  従来の記録装置に係るロック部の概略断面図である。
【符号の説明】
１  ファクシミリ装置
３  下フレーム
５  上フレーム
３１  インクリボン
３７  リボン巻取軸
３９  インクリボンカートリッジ
４１ リボン軸受部
５３  ロック部材
５７  ロックレバー
５９  リボン巻取軸押圧部材
【図１】
0003690115.tif 000002
【図２】
0003690115.tif 000003
【図３】
0003690115.tif 000004
【図４】
0003690115.tif 000005
【図５】
0003690115.tif 000006
【図６】
0003690115.tif 000007
【図７】
0003690115.tif 000008
【図８】
0003690115.tif 000009